(57)【特許請求の範囲】
【請求項１】
矩形沈澱池のピット上方には、汚水の流れてくる個所の末端に接続されその出口から上向きに汚水を流出する汚水流出パイプが設けられ、同流出パイプの外周には、前記上向きに流出する汚水が衝当するようにした縦筒状の処理槽を備え、同処理槽内には、前記流出パイプからの汚水の速度を緩徐なものにして流下させる制御手段が配されている汚水処理装置であって、前記制御手段は、上下複数枚で上下方向に千鳥配置とされた制御板で構成されていることを特徴とする汚水処理装置。
【請求項２】
請求項１記載のものにおいて、処理槽の設けられるピット上方水域側とそれ以外の水域側との間を仕切る対向板が設けられて処理槽からの汚泥をピットの方向へ誘導するようにしてある汚水処理装置。
【請求項３】
矩形沈澱池のピット上方には、汚水の流れてくる個所の末端に接続されその出口から上向きに汚水を流出する汚水流出パイプが設けられ、同流出パイプの外周には、前記上向きに流出する汚水が衝当するようにした縦筒状の処理槽を備え、同処理槽内には、前記流出パイプからの汚水の速度を緩徐なものにして流下させる制御手段が配されている汚水処理装置であって、前記処理槽の汚水が衝当する個所には、下面が波形に形成された緩衝部材が設けられていることを特徴とする汚水処理装置。
【発明の詳細な説明】
【０００１】
【発明の属する技術分野】
この発明は、例えば、既設の沈澱池等にも構成可能で汚泥を狭いスペースで効率的に回収除去することのできる汚水処理装置に関する。
【０００２】
【従来の技術】
例えば、最初沈澱池内に流入する汚水は、整流板の多数孔を通じて緩やかに流し、汚水から汚泥のみを自然沈澱させるようになっている。
【０００３】
【発明が解決しようとする課題】
こうした方式では、自然沈澱させるため、周知のように大きな沈澱池を必要とし、しかも、チェーンの循環方式やガイドレールにスクレーパ付のキァリアを進退させるなどの方式による汚泥掻寄装置も大掛かりなものになって設備コストが高くなったりして不都合である。
この発明は前記課題を解決するためになされたもので、汚水から汚泥を沈澱させて除去するのが、極めて効率的で省スペースのもとになされるようにすることを目的とする。
【０００４】
【課題を解決するための手段】
前記課題を解決するため、請求項１記載の発明は、矩形沈澱池のピット上方には、汚水の流れてくる個所の末端に接続されその出口から上向きに汚水を流出する汚水流出パイプが設けられ、同流出パイプの外周には、前記上向きに流出する汚水が衝当するようにした縦筒状の処理槽を備え、同処理槽内には、前記流出パイプからの汚水の速度を緩徐なものにして流下させる制御手段が配されている汚水処理装置であって、前記制御手段は、上下複数枚で上下方向に千鳥配置とされた制御板で構成されていることを特徴とする。
【０００５】
請求項２記載の発明は、請求項１記載のものにおいて、処理槽の設けられるピット上方水域側とそれ以外の水域側との間を仕切る対向板が設けられて処理槽からの汚泥をピットの方向へ誘導するようにしてある。
【０００６】
請求項３記載の発明は、矩形沈澱池のピット上方には、汚水の流れてくる個所の末端に接続されその出口から上向きに汚水を流出する汚水流出パイプが設けられ、同流出パイプの外周には、前記上向きに流出する汚水が衝当するようにした縦筒状の処理槽を備え、同処理槽内には、前記流出パイプからの汚水の速度を緩徐なものにして流下させる制御手段が配されている汚水処理装置であって、前記処理槽の汚水が衝当する個所には、下面が波形に形成された緩衝部材が設けられていることを特徴とする。
【０００７】
【発明の実施の形態】
以下、図示した実施形態を参照してこの発明を詳細に説明する。
【０００８】
図１および図２に示す実施形態は、従来の矩形沈澱池１を対象にして構成した汚水処理装置である。
【０００９】
同沈澱池１は、一側に汚水の流入する整流板を備えているが、ここでは盲壁２として形成して汚水流入パイプ１０を通じてある。この盲壁２は、事後的に形成したもので、整流板の個所に別途板を備え付けて形成してもよい。
【００１０】
５はピットで、底壁６の延長個所にこれまで通り設けられている。７はスクレーパで、図示しない汚泥掻寄装置の一部ごして構成され、同掻寄装置は、フライトチェーン式のものであっても、キァリア（台車）で進退駆動されるものであってもよい。尚、スクレーパは、場合によっては、例えば、汚泥の沈澱作用が完全な場合には、この発明実施形態では構成しないこともできる。
【００１１】
沈澱池１のピット５の上方水域には、処理槽８が縦筒状に設置されている。同処理槽８は、上端が閉塞状でこの上壁部９に対向するように汚水流出パイプ１０の上端開口が対向している。
【００１２】
汚水流出パイプ１０は汚水誘導パイプ１１に接続されてエルボ状に曲がったものとされるとともに、同パイプ１０は、途中から流路を絞られて汚水を噴流として上壁部９に衝当させるようにしてある。この上壁部９の面にスポンジ等の緩衝部材を張り付けおけば噴流はその勢力を大きく減じる。また、その噴流が落下してくるところにも緩衝部材を配しておいてもよい。
【００１３】
処理槽８内には、上下複数枚で上下方向に千鳥配置をなす制御板（制御手段）１２…を配してある。これらにより、更に汚水の流れは緩徐になって流下し、汚水から汚泥が効果的に沈澱するようになる。汚水から汚泥の沈澱したきれいな水は、処理槽８の外周方向に流れ出るようになるがそこには対向板１３が配置されていることで、そこでも汚泥が沈澱してくる。対向板１３は、処理槽８の設けられるピット５上方水域側とそれ以外の水域側との間を仕切って処理槽８からの汚泥をピットの方向へ誘導するものである。同対向板１３の上端の孔１４…からはきれいな水だけが排出される。この対向板１３は仮想線のように更に１枚配したり、２〜３枚配してもよい。沈澱した汚泥は、ポンプ１５を通じて池外に抜き出される。
【００１４】
図２は、汚水流出パイプ１０を分岐式にするとともに処理槽８を複数（多数でも可）配置してそれぞれで沈澱処理させるようにした実施形態を示している。
図２の実施形態では、処理槽８を独立式にしてあるが、１つあるいは２つの大きな槽体の内部を仕切ることで各処理槽８を形成することもできる。この場合、処理槽８が角筒形（六角形などでもよい）でもよい。更に、図１の実施形態では、処理槽８は、平面的で１階設置方式であったが、上下に複数階に配してもよい。その一方で、１階設置方式の場合、縦向きに長い処理槽８で構成することができる。例えば、図１においてピット５の少し上方に下端開口がくるまで処理槽８を長くすることができる。
【００１５】
図３に示す実施形態は、汚水の流れをより効果的に減速させるものに関し、処理槽８内部の汚水流出パイプ１０に対向する個所に、スポンジやゴム、軟質プラスチックなどによる緩衝部材１７を配したもので、同緩衝部材１７は、全体あるいは下面を波形に形成して汚水の流れをより効果的に減速させるものになっている。円形沈澱池に同槽を配備してもよい。
【００１６】
この場合、汚水流出パイプ１０の出口をテーパー状に形成して減速して汚水を流出するようにしてある。処理槽８の内部には、制御板１２が段階状に配されているとともに、同制御板１２と汚水流出パイプ１０との間の流路には、さらなる減速をさせる制御紐１８…が複数本吊り下げられている。
【００１７】
図４に示す実施形態は、汚水流出パイプ１０の出口を下向きにし、処理槽８は、略楔形にし、その内部上側に区画板２０を縦設してその下部を連通状に形成したもので、第１槽部２１と第２槽部２２とが形成され、第１槽部２１の上部開口には、汚水を大きく減速するための緩衝部材２３がフロート２４付で配され、さらに、第１槽部２１と第２槽部２２との連通流路２５には、対向板２６を配して、下方に汚泥が上方に汚水が分かれて流れるようにしてある。
【００１８】
汚水は、さらなる対向板２７にゆるやかに当たって下方に汚泥が上方に汚水が流れるようになっている。これらの構造により、処理槽８の上部出口からはきれいな水が排出される一方、処理槽８の下部開口からは汚泥が排出される。尚、処理槽８の上部出口には、さらに対向板２８が設けられて清澄水と汚泥とを分離するようになっている。尚、図３および図４の実施形態は、図１の沈澱池に１基あるいは複数基配置する。円形沈澱池に同槽を配備してもよい。
【００１９】
図５に示す実施形態も図１の沈澱池に１基あるいは複数基配備されるもので、処理槽８は、上端を水面近くにし下部を水面以下にして設置されており、同処理槽８には、上方から汚水流出パイプ１０が挿通されて同パイプ１０の下端がラッパ状に開口するとともに、同開口内には汚水を拡散させるボール状の制御体３０が設けられ、開口の下方には、網状部材３１と緩衝部材３２が上下をなして配されている。
【００２０】
緩衝部材３２から外径方向に流れてくる汚水はさらに処理槽８内周に配した別の緩衝部材３３に当たるようになっている。これにより、下方には汚泥が沈澱し、水は上昇する。汚泥分は、区画板３４で上方に流れにくくなっており、水のみが上方に流れる。処理槽８上部の出口３５の手前には対向板３６があるので、ここで水と汚泥の分離がさらに行われる。出口３５を出た水からも対向板３７により汚泥が分離して沈澱する。尚、処理槽８の上端抜き孔３８から清澄水を抜き出すようにしてもよい。
【００２１】
図６に示す実施形態は、沈澱池の水面よりかなり上方に処理槽８を配置したもので、汚水流出パイプ１０の上端は、複数本の絞りパイプ４０…が挿通されて流出速度を落とすようにされ、その出口には、網状部材４１と緩衝部材４２が対向配置されている。４３は制御板、４４は制御紐である。処理槽８の下部出口４５は水面の上または下に位置し、沈澱池内では汚泥が非常に緩やかに沈澱してゆくようにしてある。尚、処理槽８の下方にも図４あるいは図５に示す処理槽８を連設してもよいし、処理槽８なしで緩衝部材や制御板を配してもよい。汚水流出パイプ１０にはポンプ４６が設けられている。処理槽８の上端からは清澄水を抜き出すようになっている。
【００２２】
図７、図８に示す実施形態は、緩衝部材についてのもので、図７に示す緩衝部材５０は、ガイドロッド５１とバネ５２で弾性支持されている。この場合、緩衝部材５０は、硬質なものの他、スポンジやゴム等の軟質材料を用いてもよい。
図８に示す緩衝部材５０は、吊りバネ５４で吊り下げてある。この場合の緩衝部材５０も、硬質なものの他、スポンジやゴム等の軟質材料を用いてもよい。
【００２３】
【発明の効果】
この発明は以上のように構成されているので、汚水から汚泥を沈澱させて除去するのが、極めて効率的で省スペースのもとになされるようになる。
【図面の簡単な説明】
【図１】この発明の一実施形態である汚水処理装置の模式縦断面図。
【図２】図１の平面図。
【図３】他の汚水処理装置を示す模式縦断面図。
【図４】他の汚水処理装置を示す模式縦断面図。
【図５】他の汚水処理装置を示す模式縦断面図。
【図６】他の汚水処理装置を示す模式縦断面図。
【図７】緩衝部材の他の構成例を示す断面図。
【図８】緩衝部材の他の構成例を示す断面図。
【符号の説明】
１…沈澱池  ５…ピット  ８…処理槽  １０…汚水流出パイプ  １７，２３，３，３３，４２，５０…緩衝部材。
【図１】
0003760252.tif 000002
【図２】
0003760252.tif 000003
【図３】
0003760252.tif 000004
【図４】
0003760252.tif 000005
【図５】
0003760252.tif 000006
【図６】
0003760252.tif 000007
【図７】
0003760252.tif 000008
【図８】
0003760252.tif 000009